(57)【要約】      （修正有）【課題】鳥類による農作物、果樹への被害を防止する装置であって、自然の風を受けて回転するだけでなく、風の方向、微風にかかわらず、常に不規則な動き、回転をすることにより長期間に渡ってもヒヨドリ、カラス等の鳥類の警戒心を減退させることのないカザグルマ装置を提供する。【解決手段】大気中に露出した回転可能なカザグルマの羽根１の表面に太陽光線を反射するアルミ箔や野鳥の天敵であるハヤブサ等猛禽類の写真を１個もしくは複数個取り付け、ヒヨドリ等の鳥類がその可視光線や紫外線の反射光を受けることによりハヤブサ等の猛禽類の存在を認識させる。カザグルマの回転する軸と直角方向にも回転可能な２個の回転軸系５を持ち、風の方向、風速にかかわらずカザグルマの羽根が回転、揺動可能となるようにする。【選択図】図１
0003190225.tif 000002
【実用新案登録請求の範囲】
【請求項１】
2枚もしくは3枚の羽根を有するカザグルマであって、各々の羽根の表面の凸表面や凹表面及び平面上に１枚あるいは複数のハヤブサ、タカ、ワシ等、猛禽類の写真や複数のアルミ薄片もしくは反射物質薄片を接着し、写真の大きさは少なくとも５ｃｍ２以上とし、最大の大きさはカザグルマの羽根の面積を有することを特長とした鳥飛来防止カザグルマ装置。
【請求項２】
請求項１に記載するカザグルマ装置であって、カザグルマ装置全体の中に2個の回転軸系を持ち、カザグルマの羽根が回転するだけでなくカザグルマの回転する軸と直角方向にも回転可能な軸系を持つことを特徴とする請求項１記載の鳥飛来防止カザグルマ装置。
【請求項３】
上記揺動軸は約90度に曲げられているが、実際には９０度〜１００度のやや広角に曲げられていることを特徴とする請求項１又は２に記載の鳥飛来防止カザグルマ装置。
【請求項４】
９鉛直円筒と８コマの間に円板を設けたこと及び抜け止め用として８コマを設置したことを特徴とする請求項１〜３のいずれか一項に記載の鳥飛来防止カザグルマ装置。
【考案の詳細な説明】
【技術分野】
【０００１】
本考案は、大気中に露出した回転可能なカザグルマの羽根の表面に太陽光線を反射するアルミ箔や野鳥の天敵であるハヤブサ、タカ、ワシ等、猛禽類の写真を1個もしくは複数個取り付け、太陽光の可視光線や紫外線等を選択的に受けて乱反射させ、田畑、果樹園、ごみ集積所等に飛来し、カラス、ヒヨドリ、ムクドリ、スズメ、オナガ等の鳥類がその可視光線や紫外線の反射光を受けることによりそれら鳥類の天敵であるハヤブサ、タカ、ワシ等の猛禽類の存在を認識させ、且つ警戒させることにより当該場所に近寄らず、農作物や果実等の被害を免れるために、カザグルマ装置全体の中に2個の回転軸系を持ち、カザグルマの羽根が回転するだけでなくカザグルマの回転する軸と直角方向にも回転可能な軸系を持つ、設置が簡単で簡易構造の鳥飛来防止カザグルマに関する。
【背景技術】
【０００２】
従来、日本古来から親しまれてきた折り紙等のジャンルに属するカザグルマは、自然の風の力を受けて回転するため、回転体そのものに色彩性や創作的な形状等の創意工夫が施されて人々に楽しまれてきた歴史がある。一方、カラス等の鳥類の被害を防止するため、ステンレス鋼材を用いて不規則に動くようにして長期間使用しても鳥類が慣れ難く、光を乱反射する効果が少なくなり難い構成にした鳥害防止装置がある。（例えば、特許文献１、実用新案文献２、実用新案文献３参照。）
【先行技術文献】
【特許文献】
【０００３】
【特許文献１】特願２０１０−１８８０７３号公報
【特許文献２】実登３１８５３８３号公報
【特許文献３】実登３１８０８０９号公報
【考案の概要】
【考案が解決しようとする課題】
【０００４】
カザグルマが回転する動力源は自然の風に求められ、回転体そのものに色彩性や創作的な形状等の創意工夫が施されて人々に楽しまれるために利用されてきた。時には、田畑等に設置し鳥類飛来を防止する目的で使用されることはあったが、ヒヨドリやカラス等は学習能力が高く、すぐに慣れてそのような効果は無くなるという問題があったものの、カザグルマが風によって動いている時は近寄らないということは確認されていた。
一方、リンゴ園や柿園等では収穫期が近づくとヒヨドリ等の野鳥は果実の成熟度を果実からの太陽光線による反射される紫外線によりそのことを感知し、集団で来襲してそれらの果実をむしばみ、穴をあけ商品価値を損ねるという被害は毎年すべての果樹園にて発生している。
この被害を防止するために、リンゴ園や柿園等の周囲にメッシュの細かい網を設置し、上方には針金等を張って試みているが効果はない。完全に被害を防止するためには果樹園周囲の他に上方部も網で覆うことが必要になるが、広大な面積を覆うためには莫大な費用がかかることになり、これを実行することはないのが実情である。
また、カザグルマ等の回転体の装飾物において、その羽根の表面に太陽光線を反射させるアルミ箔等や野鳥の天敵であるハヤブサ、タカ、ワシ等、猛禽類の写真を複数枚接着あるいは圧着し、太陽光等を選択的に受けて乱反射させ特に羽根車の回転体の凸凹面部に接着、圧着し、低回転あるいは高回転においても太陽光線を不規則に乱反射させると同時にハヤブサ、タカ、ワシ等、猛禽類の写真を接着し、赤、緑、青等の可視光線だけでなく紫外線領域を大変よく反射させて、可視光線のほかに紫外線の色を識別することができるカラス、ヒヨドリ、ムクドリ、スズメ、オナガ等の鳥類に対しハヤブサ、タカ、ワシ等、猛禽類の存在を認識させ、風速、太陽光線の方向、位置によって常に反射光の方向、強さ等が一定ではなく、刻々変わる状況を作り出すことによりヒヨドリ、カラス等の学習能力を混乱させたり、恐怖感を与えることによりカラス、ヒヨドリ、ムクドリ、スズメ、オナガ等の鳥類の飛来を防止し農作物の被害を免れることを目的としたカザグルマは回転したりすることでより効果を発揮することが実験結果において確認されている。一方、カザグルマに正対した方向で、且つ一定以上の風速の風が吹いて初めてカザグルマが回転をするため、そのような風が吹く時はカラス、ヒヨドリ、ムクドリ、スズメ、オナガ等の鳥類の飛来を防止することに効果があったが、風のない時、風速が低い時、風速が早くてもカザグルマに正対する風が吹かない時や微風の時はカザグルマは回転せず、その効果が減退するという問題を有していた。
【０００５】
そこで本考案は、カザグルマ等の回転体の装飾物において、その羽根の表面に太陽光線を反射させるアルミ箔等や野鳥の天敵であるハヤブサ、タカ、ワシ等、猛禽類の写真を1枚もしくは複数枚接着あるいは圧着し、太陽光等を選択的に受けて乱反射させ特に羽根車の回転体の凸凹面部に接着、圧着し、低回転あるいは高回転においても太陽光線を不規則に乱反射させると同時にハヤブサ、タカ、ワシ等、猛禽類の写真を接着し、赤、緑、青等の可視光線だけでなく紫外線領域を大変よく反射させて、可視光線のほかに紫外線の色を識別することができるカラス、ヒヨドリ、ムクドリ、スズメ、オナガ等の鳥類に対しハヤブサ、タカ、ワシ等、猛禽類の存在を認識させ、風速、太陽光線の方向、位置によって常に反射光の方向、強さ等が一定ではなく、刻々変わる状況を作り出すことによりヒヨドリ、カラス等の学習能力を混乱させたり、恐怖感を与えるために、風の方向にかかわらず、また風の風速が低くともカザグルマが回転もしくは揺動可能にして、カラス、ヒヨドリ、ムクドリ、スズメ、オナガ等の鳥類の飛来を防止し農作物の被害を免れることを目的とする。
【課題を解決するための手段】
【０００６】
上記目的を達するために、本考案は、カザグルマの羽根自身が回転するだけでなく、カザグルマが装着されている回転円筒を貫通するカザグルマ固定軸をも回転することを可能にしたことである。即ち、90度曲げられたカザグルマ固定軸において、カザグルマ本体は従来と同じく設置地面と平行な軸に回転可能な構造とし、90度曲げられたカザグルマ固定軸は設置地面と鉛直な軸に回転可能な構造にしたことである。回転可能な軸系を2系統にしたことにより、カザグルマ装置全体は風が吹くと風の方向に関係なくカザグルマの羽根に風力として作用し、その鉛直軸に回転トルクを与えることになる。設置地面に対して鉛直方向に回転して風の方向とカザグルマそのもの自体が正対するように自動的に動き、風の力を最大限利用できるようになり、カザグルマ装置摺動部の摩擦力が小さいことと相まって、風速が低く微風状態であってもカザグルマは微回転もしくは揺動するようになる。
カザグルマの羽根そのものは任意数の羽根を有し、その表面に任意数のハヤブサ、タカ、ワシ等、猛禽類の写真のみかあるいは円形もしくは矩形のアルミ箔を同時に接着した簡素な構成である。ハヤブサ、タカ、ワシ等、猛禽類の写真の大きさはカザグルマの羽根を覆うぐらいの大きさでも良いし、少なくとも５ｃｍ２以上あればよい。接着する写真の枚数は１枚かあるいはカザグルマの羽根の枚数分が有れば良い。また、本カザグルマは創造的な、カラス等の鳥類が恐怖感を持つ形状にし、また、羽根の色彩は赤、青、黄、緑、黒、白等を単独で、あるいは組み合わせて、田畑、果樹園等に複数個設置することで効果は倍増することは言うまでもない。
【考案の効果】
【０００７】
鳥類のメスはオスの羽根が放つ紫外線反射の強弱によってメスがオスを選択する際の判断基準になっており、健康なオスほどその羽根からの紫外線反射は強い。オスの求愛は羽根をそばだたせることにより行う紫外線反射を利用した求愛活動である。
また、鳥類は多くの果実の表面が成熟することによってテカテカと輝くことで紫外線反射を感知し、その網膜の吸収率によって果実が成熟したことを知るメカニズムになっている。ヒヨドリ等がリンゴの実をついばむのはその成熟化を紫外線吸収率に置き換えて検知しており、決して未成熟の青いリンゴは食しない。
リンゴの実を食するヒヨドリやカラスの天敵はハヤブサである。ハヤブサはヒヨドリを襲い、１日に２，３匹のヒヨドリを食する。ハヤブサはヒヨドリの羽根等の紫外線反射を検知し、また、ヒヨドリの糞、尿の紫外線反射からもその存在を嗅ぎ付け襲うのである。逆に言えば、ヒヨドリがハヤブサの羽根の紫外線反射を見つけるとハヤブサの存在を感知し近寄ってはこない。
本カザグルマは、自然の風がなく静止している時、任意枚の羽根の凸表面や凹表面及び平面上に接着した任意数のハヤブサ、タカ、ワシ等、猛禽類の写真やアルミ薄片に対する太陽光線の入射角が異なっており、その太陽光線の入射角に等しい反射角でもって可視光線や紫外線を反射している。即ち、任意数のハヤブサ、タカ、ワシ等、猛禽類の写真やアルミ薄片の位置に応じて太陽の位置と相まって反射方向が相違することになる。この反射方向は日中の、朝日が昇って日が沈むまでの太陽の位置によって、また春夏秋冬の地球の地軸の傾き角によっても微妙に可視光線や紫外線の反射方向が違うようになる。ましてや、カザグルマが静止した状態から自然の風の力を受けて回転すると、当該任意数のそれぞれのハヤブサ、タカ、ワシ等、猛禽類の写真やアルミ薄片に対する太陽光線からの反射方向は目まぐるしく変化し、カザグルマ自身は可視光線や紫外線の乱反射の回転体と化す。この回転中に太陽光線とアルミ箔の薄片が正対もしくは正対に近い位置にある時は鋭く可視光線や紫外線を反射することになる。このように、本発明のカザグルマが回転を始めると複数枚の羽根の凸表面や凹表面及び平面上に接着した任意数のハヤブサ、タカ、ワシ等、猛禽類の写真やアルミ薄片の中で、太陽光線を受ける位置にあるアルミ薄片の反射光線はそれぞれ方向を違え、強弱を違えて反射光を散乱させる。1日の間にも、春夏秋冬においてもそれは刻々変わっていく。カザグルマを回転させる風速がない場合でもその羽根が揺れるだけで反射光は微妙に変化するのである。カザグルマが回転もしくは揺動した方がヒヨドリ、カラス等は恐怖感を感じることは実験結果からも明らかである。
本カザグルマをリンゴ園の周囲、内部等ヒヨドリ等の目に検知できる位置に設置したとき、ヒヨドリ等はカザグルマの羽根表面のハヤブサの写真から発する紫外線反射からその存在を意識し決してリンゴ園には近寄ってこないのである。即ち、リンゴの成熟の１週間前程度から取り入れまでの期間に本カザグルマを１個ないし複数個設置することによりヒヨドリのリンゴ園への来襲を阻止できることになる。実験においてもこのことが証明されている。
以上から、1日単位においても、春夏秋冬どの季節においても刻々と変わる変化によって、ヒヨドリ、カラス等の学習能力を混乱せしめ、効率よく、合理的に、簡単な装置でもってヒヨドリ等の襲来を防止することができる。
【図面の簡単な説明】
【０００８】
【図１】本考案に係る、2ないし３枚の羽根を持つカザグルマ装置であって、約90度曲がった揺動軸において、設置地面と平行な軸部にカザグルマの羽根を円筒を介して装着し、また同じ揺動軸の設置地面と鉛直方向の軸部を固定円筒に挿入され、当該鉛直方向の円筒は地面等に竿を介して取り付けられたカザグルマ装置の機構を説明する図である。
【考案を実施するための形態】
【０００９】
本考案に基づく実施の形態について添付した図面に基づき説明する。本考案に係るカザグルマ装置は、１は羽根を表している。羽根は２円筒外表面に装着固定され、５揺動軸の設置地面と平行な軸部に挿入されその軸部から逸脱しないようコマ３および４によって軸方向の移動が制限されている。当該２円筒内径と５揺動軸外径とは適切なクリアランスを有している。５揺動軸の設置地面と鉛直軸部は９円筒に挿入され、鉛直方向の位置は５揺動軸に固定された６コマの下部に設けられた５揺動軸鉛直方向に自在に移動可能な７円板があり、５揺動軸は6コマ、７円板、９円筒の上部端面が重力により接するまで挿入される。当該９円筒内径と５揺動軸外径とは適切なクリアランスを有している。８は抜け止め用のコマであり、下方突風が吹いた時の脱落防止用のため設置される。簡易的には絶縁テープにて代用することは可能である。１０は設置地面に打ち込まれる竿、杭でありステイを介して９円筒と固定される。尚、５揺動軸はほぼ直角に曲げられているが、正確には、その角度は90度以上、100度以下の範囲である。この理由は強風が吹いた時、１羽根の先端が撓んで５揺動軸もしくは９鉛直円筒に接触し破壊するのを防止するためである。
【００１０】
図１において、１カザグルマの羽根は５揺動軸の設置地面と平行に回転し、同時に５揺動軸は設置地面と鉛直方向円筒を中心に回転する。１羽根と正対する風が吹いた時は問題なく１羽根は回転するが、１羽根と正対しない風が吹いたとしてもその風が羽根に風力として作用し、５揺動軸を回転させる回転トルクとして働くため１羽根と風が正対するまで回転する。５揺動軸、１羽根を始めとした回転物の質量は小さく、従って摺動抵抗は極めて小さい。このことは微風であっても、この１羽根、5揺動軸は回転、もしくは揺動することを示している。
【産業上の利用可能性】
【００１１】
従来の人間界から見た鳥追い装置とは違い、鳥類の紫外線感知能力から追求した鳥追い装置であり、実験的にも確かめられており、りんご園、柿園だけでなく枇杷園等の果樹園、キャベツ、ブロッコリー、スイカ畑等の野菜畑、ゴミ集積所等に広く利用可能である。
【符号の説明】
【００１２】
１：カザグルマの羽根、２：平行円筒、３：コマ、４：コマ、５：揺動軸、６：コマ、７：円板、８：コマ、９：鉛直円筒、１０：固定竿  
【図１】
0003190225.tif 000003
【手続補正書】
【提出日】平成26年2月25日(2014.2.25)
【手続補正１】
【補正対象書類名】実用新案登録請求の範囲
【補正対象項目名】全文
【補正方法】変更
【補正の内容】
【実用新案登録請求の範囲】
【請求項１】
2枚もしくは3枚の羽根を有するカザグルマであって、各々の羽根の表面の凸表面や凹表面及び平面上に１枚あるいは複数のハヤブサ、タカ、ワシ等、猛禽類の写真や複数のアルミ薄片もしくは反射物質薄片を接着し、写真の大きさは少なくとも５ｃｍ２以上とし、最大の大きさはカザグルマの羽根の面積を有することを特長とした鳥飛来防止カザグルマ装置。
【請求項２】
請求項１に記載するカザグルマ装置であって、カザグルマ装置全体の中に2個の回転軸系
を持ち、カザグルマの羽根が回転するだけでなくカザグルマの回転する軸と直角方向にも回転可能な軸系を持つことを特徴とする請求項１記載の鳥飛来防止カザグルマ装置。
【請求項３】
短辺と長辺に区分するほぼ直角に曲げられた揺動軸（５）に、短辺部には平行円筒（２）の外表面に一体化されたカザグルマの羽根（１）を挿入して回転すること、揺動軸（５）の長辺部の軸は鉛直方向に設置された鉛直円筒（９）の中に挿入されて回転可能にした2個の回転軸系を持ち、カザグルマの回転する軸と直角方向に回転可能な９０〜１００度に曲げられている揺動軸（５）を有することを特徴とする請求項１又は２に記載の鳥飛来防止カザグルマ装置。
【請求項４】
揺動軸（５）に鉄製の円板（７）を設けたことを特徴とする請求項１〜３のいずれか一項に記載の鳥飛来防止カザグルマ装置。